(57)【要約】【課題】ネットワーク機能を生かし、ユーザが活用できる情報を提供することで付加価値を向上させた放送受信装置を提供することである。【解決手段】ネットワーク機能を有する放送受信装置１０は、ネットワーク上で複数のユーザによって書き込まれた各チャンネルに関する情報群であるそれぞれのクラスタにアクセスし、全クラスタにおける所定時間の書き込み件数に対する所定チャンネルに関するクラスタにおける所定時間の書き込み件数の割合を算出し、これを所定チャンネルの注目度とする。【選択図】図１
2012105006.tif 000002
【特許請求の範囲】
【請求項１】
ネットワーク機能を有する放送受信装置において、
ネットワーク上で複数のユーザによって書き込まれた各チャンネルに関する情報群であるそれぞれのクラスタにアクセスし、全クラスタにおける所定時間の書き込み件数に対する所定チャンネルに関するクラスタにおける所定時間の書き込み件数の割合を算出し、これを所定チャンネルの注目度とすることを特徴とする放送受信装置。
【請求項２】
前記注目度を電子番組表の一部に表示させることを特徴とする請求項１記載の放送受信装置。
【請求項３】
前記注目度を番組視聴中にＯＳＤ表示させることを特徴とする請求項１又は２記載の放送受信装置。
【請求項４】
前記所定時間は、前記所定チャンネルにおける現在放送中の番組の放送時間内の一定時間であることを特徴とする請求項１〜３の何れかに記載の放送受信装置。
【請求項５】
前記全クラスタにおける所定時間の書き込み件数は、各クラスタの所定時間の書き込み内容をそれぞれ各チャンネルにおける現在放送中の番組の番組情報と比較し、合致する語句が含まれた書き込みの件数であり、
前記所定チャンネルに関するクラスタにおける所定時間の書き込み件数は、所定時間の書き込み内容を該所定チャンネルにおける現在放送中の番組の番組情報と比較し、合致する語句が含まれた書き込みの件数であることを特徴とする請求項１〜４の何れかに記載の放送受信装置。
【発明の詳細な説明】
【技術分野】
【０００１】
本発明は、ネットワーク機能を有する放送受信装置に関する。
【背景技術】
【０００２】
従来のテレビ放送の番組視聴率調査は、予め複数の調査対象者を選び、同じ時間にそれぞれの調査対象者が選局しているチャンネルを調べることによって行われている。このような調査の後、そのチャンネルを選局している調査対象者（視聴者）の調査対象者全体における割合を求め、番組の視聴率としている。
【０００３】
視聴率は、番組の注目度（人気度）を判断する上で重要な資料であり、視聴者側にとってもどの番組が面白そうであるかを判断する材料となる。しかし、このような視聴率調査の結果は番組放送後に発表されるため、視聴者が現在放送中の番組の注目度を判断する材料にはできない。そこで、現在放送中の番組の注目度を判断する材料をリアルタイムに提供する技術が種々提案されている。
【０００４】
例えば特許文献１には、流動的に変化する今現在のリアルタイムな視聴情報を収集・集計した集計結果をリアルタイムにユーザ側端末に送信することにより、今現在のリアルタイムな視聴情報を伝えられた視聴者は今面白い番組を選択でき、リアルタイムな視聴情報・集計結果に連携したＥＰＧやプロモーション情報をユーザ側端末に配信するようにした情報提供システムが開示されている。
【０００５】
また特許文献２には、放送された番組各々に対する視聴率を示す視聴率データを取得し、この視聴率を示す情報を放送番組各々の番組名に付加した番組情報を一覧表にして表示する番組リストの表示方法が開示されている。
【０００６】
また特許文献３には、各端末装置が、ＳＮＳ型ネットワークグループへの接続を行うネットワーク接続部と、コンテンツの利用・購入情報から利用者の嗜好情報と推薦情報を抽出するコンテンツ処理部と、ＳＮＳ型ネットワークを介して他の端末装置へ推薦情報を提供し、他の端末装置から推薦情報を入手する推薦情報送受信部と、入手した推薦情報を表示部に表示させる推薦情報表示部とを備えた推薦情報処理システムが開示されている。
【先行技術文献】
【特許文献】
【０００７】
【特許文献１】特開２００３−２８４００８号公報
【特許文献２】特開２００３−１８９２０７号公報
【特許文献３】特開２００８−１９１７６８号公報
【発明の概要】
【発明が解決しようとする課題】
【０００８】
上記のように、現在放送中の番組の注目度を判断する材料をリアルタイムに提供する技術は色々なものが提案されているが、現在特定の技術が普及しているという訳ではなく、さらなる改良や新たな技術が誕生する余地がある。
【０００９】
本発明は、ネットワーク機能を生かし、ユーザが活用できる情報を提供することで付加価値を向上させた放送受信装置を提供することを目的とする。
【課題を解決するための手段】
【００１０】
上記目的を達成するために本発明は、ネットワーク機能を有する放送受信装置において、ネットワーク上で複数のユーザによって書き込まれた各チャンネルに関する情報群であるそれぞれのクラスタにアクセスし、全クラスタにおける所定時間の書き込み件数に対する所定チャンネルに関するクラスタにおける所定時間の書き込み件数の割合を算出し、これを所定チャンネルの注目度とすることを特徴とする。
【００１１】
上記の放送受信装置において、前記注目度を電子番組表の一部に表示させることが好ましい。
【００１２】
また上記の放送受信装置において、前記注目度を番組視聴中にＯＳＤ表示させることが好ましい。
【００１３】
また上記の放送受信装置において、前記所定時間は、前記所定チャンネルにおける現在放送中の番組の放送時間内の一定時間である。
【００１４】
また上記の放送受信装置において、前記全クラスタにおける所定時間の書き込み件数は、各クラスタの所定時間の書き込み内容をそれぞれ各チャンネルにおける現在放送中の番組の番組情報と比較し、合致する語句が含まれた書き込みの件数であり、前記所定チャンネルに関するクラスタにおける所定時間の書き込み件数は、所定時間の書き込み内容を該所定チャンネルにおける現在放送中の番組の番組情報と比較し、合致する語句が含まれた書き込みの件数であるとしてもよい。
【発明の効果】
【００１５】
本発明によると、ネットワークの情報を活用して現在放送中の各番組の注目度を視聴中のユーザに提供することで、ユーザは注目度を参考にして視聴するチャンネルを選択することができる。注目度は複数人の心情を反映させたものであるので、ユーザにとって有用な情報となり、放送受信装置の付加価値を向上させることができる。
【図面の簡単な説明】
【００１６】
【図１】本発明の光ディスク装置の構成及びその周辺機器を示すブロック図である。
【図２】本発明の光ディスク装置における注目度の算出に関する動作を示すフローチャートである。
【図３】本発明の電子番組表の画面の一例である。
【図４】本発明のＯＳＤ表示した画面の一例である。
【図５】本発明の光ディスク装置における注目度の算出に関する動作の他の例を示すフローチャートである。
【発明を実施するための形態】
【００１７】
以下、本発明の放送受信装置の一例として、デジタルテレビ放送を受信して録画できるハードディスクドライブ（ＨＤＤ）一体型の光ディスク装置を用いて説明する。
【００１８】
図１は、光ディスク装置１０の構成及びその周辺機器を示すブロック図である。光ディスク装置１０には、テレビ等の表示装置１１と、ネットワーク１２とが接続されている。以下では、ネットワーク１２はインターネットであるとして説明する。また光ディスク装置１０は、リモコン１３によって操作可能である。
【００１９】
光ディスク装置１０は、アンテナ１４で受信したデジタルテレビ放送信号を復調、デジタル化するチューナ１６と、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、ＥＰＧ（電子番組表）やＥＰＧの一部に後述する注目度を入れたものや後述する注目度そのものを表示装置１１に表示させたり、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置１１へ出力する音声出力部２２と、ＲＯＭやＲＡＭからなるメモリ２３と、リモコン１３からの信号を受信するリモコン受信部２４と、ネットワーク１２との接続を行う通信部２５と、光ディスク装置１０の各部を制御する制御部２６とを備えている。
【００２０】
また、制御部２６は、ネットワーク上で複数のユーザによって書き込まれた各チャンネルに関する情報群であるそれぞれのクラスタにアクセスし、全クラスタにおける所定時間の書き込み件数に対する所定チャンネルに関するクラスタにおける所定時間の書き込み件数の割合を算出し、これを所定チャンネルの注目度とする処理の制御も行う。以下に、この制御について詳しく説明する。
【００２１】
クラスタとは、ここではネットワーク上で複数のユーザによって書き込まれた各チャンネルに関する情報群を指すものとし、具体的には、ＳＮＳ（Social Networking Service）であれば、チャンネル（放送局）毎の掲示板、Twitterであれば、＃（ハッシュタグ）付き放送局名（#Fuji、#TBS、＃NHKなど）を含む書き込み群などである。
【００２２】
図２は、光ディスク装置１０における注目度の算出に関する動作を示すフローチャートである。光ディスク装置１０の電源がオンの状態で、ステップＳ１０において通信部２５はインターネットに接続し、予め登録された複数のクラスタにアクセスする。なお、アクセスしたクラスタの画面は表示装置１１には表示させない。
【００２３】
ここで、予め登録された複数のクラスタは、例えば、特定のＳＮＳのチャンネル毎の掲示板のそれぞれのアドレスであったり、Twitterで＃付き放送局名を検索した結果であったりする。Twitterにおいて予め登録されたクラスタにアクセスするには、Twitterの検索ページのアドレスにアクセスした後、予め登録された＃付き放送局名で検索することで＃付き放送局名を含む書き込み群が得られる。
【００２４】
なお、予め登録された複数のクラスタは、メーカー側で製造時に登録されたものでも、ユーザが任意に登録したものでもよい。例えば、Twitterのクラスタの場合、製造時には＃Fujiと登録されているクラスタをユーザが設定画面等から＃FujiTVなどに変更できるようにしてもよい。また、ＳＮＳのクラスタの場合、製造時にはYahooのチャンネル毎の掲示板が登録されているのをユーザが設定画面等からgooのチャンネル毎の掲示板などに変更できるようにしてもよい。
【００２５】
また、予め登録された複数のクラスタは、本光ディスク装置１０で受信可能な全チャンネルとすることが好ましい。例えば、光ディスク装置１０が地上デジタル放送とＢＳデジタル放送とを受信できる場合、地上デジタル放送及びＢＳデジタル放送の各チャンネルに対応したクラスタを登録しておく。
【００２６】
次に、ステップＳ１０からステップＳ１１へ進んで各クラスタの書き込み件数を取得する。取得した情報はメモリ２３又はＨＤＤ等に記憶する。メモリ２３に記憶する場合はＥＥＰＲＯＭ等に記憶すればよい。取得する書き込みの期間としては、現在を終期とする期間であれば始期はいつでもよい。例えば、ＳＮＳの掲示板の場合、少なくとも現在の書き込み番号を取得すればよい。また、Twitterの場合、＃付き放送局名で検索した結果得られる件数を取得すればよい。
【００２７】
次に、ステップＳ１１からステップＳ１２へ進んで、制御部２６はステップＳ１１で書き込み件数を取得した時間から所定時間（例えば１分）経過したか否かを判別する。ステップＳ１２で所定時間経過したと判別すると、ステップＳ１３へ進んで通信部２５は上記複数のクラスタへのアクセスを更新し、ステップＳ１４へ進んで更新後の各クラスタの書き込み件数を取得する。取得した情報は先程と同様にメモリ２３又はＨＤＤ等に記憶する。
【００２８】
なお、上記の所定時間は、所定チャンネルにおける現在放送中の番組の放送時間内の一定時間であればよく、例えば、番組の開始直後であっても、中盤であっても、後半であっても、数秒〜数分間の時間を取ることができればよい。
【００２９】
次に、ステップＳ１４からステップＳ１５へ進んで、各クラスタにおいて更新前後の書き込み件数の差分を算出する。つまり、各クラスタにおける所定時間の間の書き込み件数を算出する。
【００３０】
次に、ステップＳ１５からステップＳ１６へ進んで各クラスタにおける所定時間の書き込み件数を合算して全クラスタにおける所定時間の書き込み件数を算出する。
【００３１】
次に、ステップＳ１６からステップＳ１７へ進んで分母をステップＳ１６で求めた全クラスタにおける所定時間の書き込み件数とし、分子をステップＳ１５で求めた各クラスタにおける書き込み件数のうち、何れかの所定のクラスタにおける書き込み件数とし、所定のクラスタの書き込み件数の割合を算出する。そして、この割合を所定のクラスタに対応するチャンネルの現在放送中の番組の注目度（人気度）とする。
【００３２】
ここでいう注目度とは、インターネットでの書き込み件数に基づいた仮想的な視聴率のようなものであり、そのクラスタの所定時間の書き込み件数が多いほどそのクラスタに対応するチャンネルの現在放送中の番組の注目度が高くなる。ステップＳ１７の処理は各クラスタについてそれぞれ行い、各チャンネルの注目度を求める。
【００３３】
例えば、クラスタとしてＳＮＳの掲示板を用いる場合、ステップＳ１７で分母をＮＨＫ、ＴＢＳ・・・ＢＳ１、ＢＳ２・・・という各チャンネルの掲示板における所定時間の書き込み件数の合算とし、分子をＮＨＫの掲示板における所定時間の書き込み件数とすれば、地上デジタル放送及びＢＳデジタル放送の中での地上デジタル放送のＮＨＫの注目度を求めることができる。また、クラスタとしてTwitterの＃付き放送局名の検索結果を用いる場合、ステップＳ１７で分母を＃ＮＨＫ、＃ＴＢＳ・・・＃ＢＳ１、＃ＢＳ２・・・でそれぞれ検索した結果得られた所定時間の書き込み件数の合算とし、分子を＃ＮＨＫで検索した結果得られた所定時間の書き込み件数とすれば、地上デジタル放送及びＢＳデジタル放送の中での地上デジタル放送のＮＨＫの注目度を求めることができる。
【００３４】
次に、ステップＳ１７からステップＳ１８へ進んで注目度を更新する時間か否かを判別する。この判別は、前回クラスタへアクセスした時間から一定時間（例えば１０分）経過した場合や予め設定された時刻（例えば毎時０、１０、２０、３０、４０、５０分）になった場合などとすればよい。そして、ステップＳ１８において注目度を更新する時間になったと判別した場合、ステップＳ１０に戻り、新たに各チャンネルの注目度の算出を開始する。
【００３５】
このようにして算出された注目度は、リモコン１３からの指示に応じて、表示装置１１の電子番組表の一部に表示されたり、表示装置１１で番組視聴中にＯＳＤ表示されたりする。図３は、電子番組表の画面の一例である。画面３０は、例えば、リモコン１３の番組表キー（不図示）が操作された場合に表示される。画面３０では、１８：００〜１９：００の欄が現在放送中の番組であり、現在放送中の各チャンネルの欄に番組名とその番組の注目度とが表示されている。一方、１９：００以降の番組表には放送予定の番組名は表示されているが、その番組の注目度はまだ表示されていない。そして、リモコン１３の下方向の矢印キー（不図示）などが操作されると、次ページのチャンネル表示に切り替わる。
【００３６】
図４は、ＯＳＤ表示した画面の一例である。画面４０は、視聴中の番組の下部に注目度一覧４１をＯＳＤ表示した画面である。注目度一覧４１は、例えば、番組視聴中にリモコン１３の注目度キー（不図示）が操作された場合に表示される。注目度一覧４１では、現在放送中の各チャンネルの欄に番組名とその番組の注目度とが表示されている。そして、リモコン１３の右方向の矢印キー（不図示）などが操作されると、次ページのチャンネル表示に切り替わる。
【００３７】
注目度の表示は、図３や図４以外の表示形態でもよく、例えば、ＯＳＤ表示で注目度の高い順に１０番目までを順位を付けてチャンネルと番組名と注目度とを表示してもよい。
【００３８】
このように、インターネットの情報を活用して現在放送中の各番組の注目度を視聴中のユーザに提供することで、ユーザは注目度を参考にして視聴するチャンネルを選択することができる。注目度は複数人の心情を反映させたものであるので、ユーザにとって有用な情報となり、放送受信装置の付加価値を向上させることができる。
【００３９】
次に、他の算出方法で注目度を算出する実施形態について説明する。
【００４０】
図５は、光ディスク装置１０における注目度の算出に関する動作の他の例を示すフローチャートである。ステップＳ２０〜ステップＳ２５までは図２のステップＳ１０〜ステップＳ１５と同様の処理であるので説明を省略する。
【００４１】
ステップＳ２５からはステップＳ２６へ進んで、書き込み件数に基づいて、各クラスタから所定時間の書き込み内容を取得する。書き込み内容はテキスト情報として取得できる。
【００４２】
次に、ステップＳ２６からステップＳ２７へ進んで、各クラスタの所定時間の書き込み内容をそれぞれ各チャンネルにおける現在放送中の番組の番組情報と比較し、合致する語句が含まれた書き込みの件数をクラスタ毎に算出する。各番組の番組情報はＥＰＧ情報に含まれるものを利用することができる。
【００４３】
次に、ステップＳ２７からステップＳ２８へ進んで分母をステップＳ２７で求めたクラスタ毎の書き込み件数を全クラスタについて合算した件数とし、分子をステップＳ２７で求めたクラスタ毎の書き込み件数のうち、何れかの所定のクラスタにおける書き込み件数とし、所定のクラスタの書き込み件数の割合を算出する。そして、この割合を所定のクラスタに対応するチャンネルの現在放送中の番組の注目度（人気度）とする。
【００４４】
例えば、あるクラスタの所定時間の書き込みの１つに、例えば「今日のニュースを見ています。」という内容のものがあった場合、「今日のニュース」という語句が図３の現在放送中の番組名と合致するので、この書き込みをそのクラスタの書き込み件数に加算する。
【００４５】
次に、ステップＳ２８からステップＳ２９へ進んで注目度を更新する時間か否かを判別する。この判別は、図２のステップＳ１８と同様である。そして、ステップＳ２９において注目度を更新する時間になったと判別した場合、ステップＳ２０に戻り、新たに各チャンネルの注目度の算出を開始する。
【００４６】
このようにして算出された注目度は、リモコン１３からの指示に応じて、表示装置１１の電子番組表の一部に表示されたり（図３参照）、表示装置１１で番組視聴中にＯＳＤ表示されたりする（図４参照）。
【００４７】
このように、注目度を算出するための書き込み件数として、各クラスタの所定時間の書き込み内容をそれぞれ各チャンネルにおける現在放送中の番組の番組情報と比較し、合致する語句が含まれた書き込みの件数を用いることにより、注目度の精度が高くなる。
【００４８】
なお、各クラスタの所定時間の書き込み件数は、上記の実施形態では光ディスク装置１０内で差分を算出することで計算しているが、各クラスタを管理しているサーバから各クラスタの所定時間の書き込み件数を提供してもらうようにしてもよい。
【００４９】
なお、上記の実施形態では光ディスク装置１０の電源がオン状態のときに注目度を算出しているが、スタンバイ状態のときに定期的に注目度を算出しておき、光ディスク装置１０の電源がオンになるとすぐに注目度を表示できる状態にしておいてもよい。
【００５０】
なお、上記の実施形態では地上デジタル放送及びＢＳデジタル放送の全チャンネルのクラスタを分母として各チャンネルの注目度を算出しているが、分母は分子のチャンネルと同じ放送波のみとしても構わない。例えば、ＴＢＳの注目度を算出する場合、分母は地上デジタル放送の各チャンネルのクラスタの所定時間の書き込み件数の合算としてもよい。
【００５１】
また、分母を地上デジタル放送、ＢＳデジタル放送及びＣＳデジタル放送の全チャンネルのクラスタとし、分子を地上デジタル放送の各チャンネルのクラスタの所定時間の書き込み件数の合算、ＢＳデジタル放送の各チャンネルのクラスタの所定時間の書き込み件数の合算又はＣＳデジタル放送の各チャンネルのクラスタの所定時間の書き込み件数の合算とすれば、それぞれ全放送波に対する、地上デジタル放送全体の注目度、ＢＳデジタル放送全体の注目度又はＣＳデジタル放送全体の注目度となる。
【００５２】
この場合、注目度の表示が指示されると、最初に放送波毎の注目度を表示し、次に何れかの放送波が選択されると、その選択された放送波の各チャンネルの注目度を表示するように、すなわち階層的に表示してもよい。
【００５３】
なお、上記の実施形態では注目度を％で表しているが、他の表示形態でもよく、例えば、算出された注目度の値を予め決められた数段階のレベルに変換して表示してもよい。また、注目度を表示する際、１０％以上であれば赤色で、１〜１０％であれば黄色で、１％未満であれば青色で表示する等、値に応じて表示の仕方を変えてもよい。
【産業上の利用可能性】
【００５４】
本発明は、セットトップボックス、テレビ受像機、ＨＤＤレコーダ、ＤＶＤレコーダ、ＢＤレコーダ、それらの複合機などの放送受信装置であって、ネットワーク機能を備えたものに利用することができる。
【符号の説明】
【００５５】
１０  光ディスク装置（放送受信装置）
１１  表示装置
１２  ネットワーク
１３  リモコン
１４  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  通信部
２６  制御部
【図１】
2012105006.tif 000003
【図２】
2012105006.tif 000004
【図３】
2012105006.tif 000005
【図５】
2012105006.tif 000006
【図４】
2012105006.tif 000007